(57)【要約】  本発明は、ベビーシートキャリア（２００）であって、ショルダストラップ部材（１２０）と、ウエストベルト部材（１３０）と、ウエストベルト部材（１３０）に接続されたスツールシート部材（１７０）と、運搬使用者の胴に当接しかつ運搬使用者の胴に沿って延びるように構成され、ウエストベルト部材（１３０）およびショルダストラップ部材（１２０）に接続された、内側織物部材（１００）と、内側織物部材の長手方向（Ｌ）に沿って延びる外側カバー部材（１５０）とを有し、外側カバー部材は、外側カバー部材（１５０）および内側織物部材（１００）が懸吊されたポケットシート（１５６）を形成するように内側織物部材（１００）に取外し可能に接続される下側部分（１５３，１５３ａ，１５３ｂ）を有する、ベビーシートキャリア（２００）に関する。
2019516536.tif 000002
【特許請求の範囲】
【請求項１】
ベビーシートキャリア（２００）であって、ショルダストラップ部材（１２０）と、ウエストベルト部材（１３０）と、該ウエストベルト部材（１３０）に接続されたスツールシート部材（１７０）と、運搬使用者の胴に当接しかつ運搬使用者の胴に沿って延びるように構成され、前記ウエストベルト部材（１３０）および前記ショルダストラップ部材（１２０）に接続された、内側織物部材（１００）と、該内側織物部材の長手方向（Ｌ）に沿って延びる外側カバー部材（１５０）とを有し、該外側カバー部材（１５０）は、該外側カバー部材（１５０）と前記内側織物部材（１００）が懸吊されたポケットシート（１５６）を形成するように前記内側織物部材（１００）に取外し可能に接続される下側部分（１５３，１５３ａ，１５３ｂ）を有する、ベビーシートキャリア（２００）。
【請求項２】
前記外側カバー部材（１５０）の前記下側部分（１５３，１５３ａ，１５３ｂ）は、さらに、前記スツールシート部材（１７０）と前記外側カバー部材（１５０）がスツールシート（１７４）を形成するように前記スツールシート部材（１７０）に取外し可能に接続されるように構成されている、請求項１記載のベビーシートキャリア（２００）。
【請求項３】
延長部材（２１０）をさらに有し、該延長部材（２１０）は、前記内側織物部材（１００）と前記延長部材（２１０）と前記外側カバー部材（１５０）が延長された懸吊されたポケットシート（２２０）を形成するように、第１の端部（２１１）において前記内側織物部材（１００）に取外し可能に接続されるように配置されかつ第２の端部（２１２）において前記外側カバー部材（１５０）の前記下側部分（１５３，１５３ａ，１５３ｂ）に取外し可能に接続されるように配置されている、請求項１または２記載のベビーシートキャリア（２００）。
【請求項４】
前記延長部材（２１０）の前記第１の端部（２１１）は、前記内側織物部材（１００）に固定して接続されている、請求項３記載のベビーシートキャリア（２００）。
【請求項５】
前記懸吊されたポケットシート（１５６）および／または前記延長された懸吊されたポケットシート（２２０）および前記スツールシート部材（１７０）は、互いに所定の長手方向（Ｌ）距離に配置されている、請求項１から４までのいずれか１項記載のベビーシートキャリア（２００）。
【請求項６】
前記スツールシート部材（１７０）は外側リッジを有し、前記外側カバー部材（１５３，１５３ａ，１５３ｂ）の前記下側部分は、前記スツールシート部材（１７０）に共に背中／脊柱支持を提供するために、前記外側カバー部材（１５０）が前記内側織物部材（１００）に対して平行に延びるように、前記外側リッジに取外し可能に接続されている、請求項１から５までのいずれか１項記載のベビーシートキャリア（２００）。
【請求項７】
前記スツールシート部材（１７０）は、該スツールシート部材（１７０）の内側に配置された取外し可能なスツールシートボディ（１７３）を有する、請求項１から６までのいずれか１項記載のベビーシートキャリア（２００）。
【請求項８】
前記内側織物部材（１００）から延びるサイドファスナ（１６０）をさらに有し、該サイドファスナ（１６０）は、前記外側カバー部材（１５０）が、前記懸吊されたポケットシート（１５６）または前記スツールシート（１７４）の前記スツールシート部材（１７０）にと共に背中支持を構成するように、前記外側カバー部材（１５０）に配置された取付け箇所（１６１，１６１ａ，１６１ｂ）に取外し可能に取り付けられる、請求項１から７までのいずれか１項記載のベビーシートキャリア（２００）。
【請求項９】
前記内側織物部材（１００）は、正方形または矩形である、請求項１から８までのいずれか１項記載のベビーシートキャリア（２００）。
【請求項１０】
外側カバー部材下端部（１５４）は、外側カバージッパ部材（１５５）を有し、前記内側織物部材（１００）は、内側織物ジッパ部材（１０１）を有し、前記スツールシート部材（１７０）は、スツールシートジッパ部材（１７２）を有し、前記外側カバージッパ部材（１５５）は、前記内側織物ジッパ部材（１０１）および前記スツールシートジッパ部材（１７２）と係合することができる、請求項１から９までのいずれか１項記載のベビーシートキャリア（２００）。
【請求項１１】
前記延長部材（２１０）の前記第１および第２の端部（２１１，２１２）は、前記内側織物ジッパ部材（１０１）、前記スツールシートジッパ部材（１７２）および／または前記外側カバージッパ部材（１５５）と係合するように構成されたジッパ部材（２４０）を有する、請求項１から１０までのいずれか１項記載のベビーシートキャリア（２００）。
【請求項１２】
前記外側カバー部材下端部（１５４）は、第１の外側カバージッパ部材および第２の外側カバージッパ部材を有する、請求項１から１１までのいずれか１項記載のベビーシートキャリア（２００）。
【請求項１３】
前記第１の外側カバージッパ部材は、前記内側織物ジッパ部材（１０１）および／または前記延長部材（２１０）の前記第２の端部（２１２）の前記ジッパ部材（２４０）と係合するように構成されており、前記第２の外側カバージッパ部材は、前記スツールシートジッパ部材（１７２）と係合するように構成されている、請求項１２記載のベビーシートキャリア（２００）。
【請求項１４】
前記第１の外側カバージッパ部材の長さは、前記第２の外側カバージッパ部材の長さより短い、請求項１２または１３記載のベビーシートキャリア（２００）。
【請求項１５】
前記外側カバー部材下端部（１５４）の幅は、前記第１および／または第２の外側カバージッパ部材の長さに対応するように配置されている、請求項１２から１４までのいずれか１項記載のベビーシートキャリア（２００）。
【請求項１６】
前記外側カバー部材下端部（１５４）の幅は、前記外側カバー部材下端部（１５４）の折畳みによって適応させられるようになっている、請求項１５記載のベビーシートキャリア（２００）。
【請求項１７】
外側カバー部材上側部分（１５１）は、前記外側カバー部材（１５０）の横方向（Ｔ）折畳みを提供するように形成された横方向（Ｔ）ステッチパターン（１５８）を有する、請求項１から１６までのいずれか１項記載のベビーシートキャリア（２００）。
【請求項１８】
前記外側カバー部材（１５０）は、２つのステッチされた弓形パターン（１５８）を有し、各弓形パターン（１５８）は、前記ステッチされたアームシーム（１５８）に沿った前記外側カバー部材（１５０）の容易な折畳みを提供するために前記外側カバー上側部分（１５１）の縁部から前記外側カバー部材下側部分（１５３）の縁部まで弓形に長手方向に延びている、請求項１から１７までのいずれか１項記載のベビーシートキャリア（２００）。
【請求項１９】
前記内側織物部材（１００）は、該内側織物部材（１００）の長手方向（Ｌ）に沿って異なる長さに配置された、前記外側カバー部材（１５０）への取外し可能な取付けのための２つ以上の手段を有する、請求項１から１８までのいずれか１項記載のベビーシートキャリア。
【発明の詳細な説明】
【技術分野】
【０００１】
本発明は、少なくとも２つの着座位置を提供するベビーシートキャリアに関する。特に、本発明は、少なくとも２つの着座位置、すなわち、第１の懸吊された開放ポケットシートおよび第２のしっかりしたスツールシートを提供するように構成されていてもよいベビーシートキャリアに関する。より具体的には、本発明の態様によるベビーシートキャリアは、内側プレート／織物部材と、内側織物部材またはスツールシート部材に取外し可能に接続される外側カバー部材とを特徴とする。
【０００２】
発明の背景
典型的な従来の幼児シートは、保護者によって運搬されながら幼児に安全性および快適性を提供するという野望を具現化するために細部にわたって努力している。従来の幼児シートの一例は、１つのタイプのポケットシートを含むベビーシートと呼ばれるものを開示している米国特許第８６２７９８８号明細書（US 8,627,988）によって提供されている。開示によるベビーシートは、一般的に３歳に相当する、１２ｋｇと言われるまでの子供向けである。しかしながら、前記年齢までの間、幼児の体重は著しく異なり始めるだけでなく、幼児の骨格もまた著しい変化を生じる。例えば、幼児の脊柱は比較的柔軟であり、一般的に、胎児／蛙位置にいるときに幼児の特徴的なＣ字形を有すると言われる。約４ヶ月から６ヶ月の間に、幼児の体重が増加するだけでなく、幼児の脊柱も変化し、特徴的なＳ字形の脊柱になる。したがって、上記成長は、典型的な従来のベビーシートキャリアの着座位置を意味のないものにする。なぜならば、典型的な従来のベビーシートキャリアは、Ｓ字形の脊柱を発達させた幼児にとって十分な着座位置を提供せず、ベビーシートキャリアを運搬している人への、申し立てられた重量の分配のための十分な手段を提供しない。さらに、Ｓ字形の脊柱は、ベビーシートキャリアに着座しながら幼児の脊柱の結果的に生じる配置に要求を課すのみならず、増大した重量を、非排他的に、シートソリューションを運搬する使用者の肩へ分配するために、ベビーシートキャリアの実際の荷重支持シートに対しても要求を課す。上述の理由により、約６ヶ月よりも上の幼児に適した典型的なベビーシートキャリアは、上述のポケット状シートを特徴とせず、その代わり、成人の着座位置をより思い出させる子供の着座位置を提供し、この着座位置はスツールシートと呼ばれてもよい。
【０００３】
発明の概要
この背景に基づき、本発明の目的は、新生児から約３歳または１５ｋｇまでの幼児のための適切な着座位置を提供するベビーシートキャリアを提供することである。本発明の別の目的は、ベビーシートキャリアが装備された使用者における十分な重量分配を提供するベビーシートキャリアを提供することである。本発明のさらに別の目的は、容易に使用されるベビーシートキャリアを提供することである。
【０００４】
発明の目的は、ベビーシートキャリアであって、ショルダストラップ部材と、ウエストベルト部材と、ウエストベルト部材に接続されたスツールシート部材と、運搬使用者の胴に当接しかつ運搬使用者の胴に沿って延びるように構成され、ウエストベルト部材およびショルダストラップ部材に接続された、内側織物部材と、内側織物部材の長手方向に沿って延びる外側カバー部材とを有し、外側カバー部材は、外側カバー部材および内側織物部材が懸吊されたポケットシートを形成するように内側織物部材に取外し可能に接続された下側部分を有する、ベビーシートキャリアを提供することによって達成される。
【０００５】
発明の目的は、さらに、外側カバー部材の下側部分が、さらに、スツールシート部材および外側カバー部材がスツールシートを形成するようにスツールシート部材に取外し可能に接続されるように適応されていることによって達成される。
【０００６】
１つの態様によれば、懸吊されたポケットシートおよびスツールシート部材は、互いから所定の長手方向距離に配置されている。
【０００７】
１つの態様によれば、スツールシート部材は外側リッジを有し、前記外側カバー部材の下側部分は、スツールシート部材に関連した背中／脊柱支持を提供するために前記外側カバー部材が内側織物部材に対して平行に延びるように、外側リッジに取外し可能に接続されている。
【０００８】
１つの態様によれば、ベビーシートキャリアは、延長部材をさらに有し、延長部材は、内側織物部材、延長部材および外側カバー部材が延長された懸吊されたポケットシートを形成するように、第１の端部において内側織物部材に取外し可能に接続されるように配置されかつ第２の端部において前記外側カバー部材の下側部分に取外し可能に接続されるように配置されている。
【０００９】
１つの態様によれば、延長部材の第１の端部は、内側織物部材に固定して接続されている。
【００１０】
１つの態様によれば、懸吊されたポケットシートおよび／または延長された懸吊されたポケットシートおよび前記スツールシート部材は、互いから所定の長手方向距離に配置されている。
【００１１】
１つの態様によれば、外側カバー部材下端部は、第１の外側カバージッパ部材および第２の外側カバージッパ部材を有する。
【００１２】
１つの態様によれば、第１の外側カバージッパ部材は、内側織物ジッパ部材および／または延長部材の第２の端部のジッパ部材と係合するように適応されており、第２の外側カバージッパ部材は、スツールシートジッパ部材と係合するように適応されている。
【００１３】
１つの態様によれば、第１の外側カバージッパ部材の長さは、第２の外側カバージッパ部材の長さより短い。
【００１４】
１つの態様によれば、外側カバー部材下端部の幅は、第１および／または第２の外側カバージッパ部材の長さに対応するように適応させられるように配置されている。
【００１５】
１つの態様によれば、外側カバー部材下端部の幅は、外側カバー部材下端部の折畳みによって適応させられるように配置されている。
【００１６】
１つの態様によれば、スツールシート部材は、前記スツールシート部材の内側に配置された取外し可能なスツールシートボディを有する。
【００１７】
１つの態様によれば、ベビーシートキャリアは、前記内側織物部材から延びるサイドファスナをさらに有し、サイドファスナは、外側カバー部材が懸吊されたポケットシートまたはスツールシートのスツールシート部材に関連して背中支持を構成するように、外側カバー部材に配置された取付け箇所に取外し可能に取り付けられる。
【００１８】
１つの態様によれば、内側織物部材は、正方形または矩形である。
【００１９】
１つの態様によれば、外側カバー部材下端部は、外側カバージッパ部材を有し、内側織物部材は、内側織物ジッパ部材を有し、スツールシート部材は、スツールシートジッパ部材を有し、外側カバージッパ部材は、内側織物ジッパ部材およびスツールシートジッパ部材と係合することができる。
【００２０】
１つの態様によれば、延長部材の第１および第２の端部は、前記内側織物ジッパ部材、前記スツールシートジッパ部材および／または外側カバージッパ部材と係合するように適応させられたジッパ部材を有する。
【００２１】
１つの態様によれば、外側カバー部材上側部分は、外側カバー部材の横方向折畳みを提供するように適応させられた横方向ステッチパターンを有する。
【００２２】
１つの態様によれば、外側カバー部材は、２つのステッチされた弓形パターンを有し、各弓形パターンは、前記ステッチされたアームシームに沿った前記外側カバー部材の容易な折畳みを提供にするために外側カバー部材上側部分の縁部から外側カバー部材下側部分の縁部まで弓形に長手方向に延びている。
【００２３】
１つの態様によれば、内側織物部材は、内側織物部材の長手方向に沿って異なる長さに配置された、外側カバー部材への取外し可能な取付けのための２つ以上の手段を有する。
【００２４】
したがって、発明は、幼児が、懸吊されたポケットシートに配置されるおよび／またはスツールシートに配置される前に、ショルダストラップ部材およびウエストベルト部材によって人員において適応させられてもよいベビーシートキャリアを達成する。
【００２５】
本発明によるベビーシートキャリアおよび方法の別の目的、特徴、利点および特性は、詳細な説明から明らかになるであろう。
【００２６】
図面の簡単な説明
本記載の以下の詳述した部分において、発明は、図示された典型的な実施の形態に関してより詳細に説明される。
【図面の簡単な説明】
【００２７】
【図１】本発明の１つの態様の斜視背面図／側面図である。ここでは、外側カバー部材が省略されて示されている。
【図２】本発明の１つの態様の斜視背面図である。ここでは、外側カバー部材が省略されて示されている。
【図３】本発明の１つの態様の斜視正面図／側面図である。ここでは、外側カバー部材が省略されて示されている。
【図４】本発明の１つの態様の斜視正面図である。ここでは、外側カバー部材が省略されて示されている。
【図５ａ】本発明の１つの態様による外側カバー部材の外側の斜視図である。
【図５ｂ】本発明の１つの態様による外側カバー部材の外側の斜視図である。
【図６】第１の作動モードにおける本発明の１つの態様の斜視正面図／側面図である。
【図７】第１の作動モードにおける本発明の１つの態様の斜視側面図である。
【図８】第２の作動モードにおける本発明の１つの態様の斜視正面図／側面図である。
【図９】第２の作動モードにおける本発明の１つの態様の斜視側面図である。
【図１０】スツールシート部材がスツールシート部材から取り外されて示された、本発明の１つの態様の斜視図である。
【図１１】延長部材を備えかつ外側カバー部材が省略された、本発明の１つの態様の斜視正面図である。
【図１２】図１２ａ〜ｃは、延長部材と組み合わされ、スツールシート部材を備えるおよび備えない、第２の作動モードおよび第１の作動モードにおける本発明の１つの態様の斜視側面図である。
【００２８】
発明の詳細な説明
本発明によるベビーシートキャリア２００の以下の詳細な説明は、好適な実施の形態／態様によって説明される。図１〜図１２を通じて、同一の参照符号は同一の部材／特徴を示している。
【００２９】
ジッパ１５５，１０１，１７２，２４０、ボタン／取付け箇所１６１ａ，１６１ｂ、ショルダストラップファスナ１２１、ならびにショルダストラップ部材１２０およびウエストベルト部材１３０などのストラップ部材の長さを調節するための手段などの、取外し可能な取付けのための手段の構成および操作は、公知であり、この文脈においてさらなる説明を要しない。
【００３０】
複数の態様によるベビーシートキャリア２００の構成および操作に関するさらなる詳細は、以下に提供される。
【００３１】
図１および図２は、幼児の運搬に特に適したベビーシートキャリア２００の第１の典型的な態様を示している。ベビーシートキャリア２００は、キャリア２００を適応させた使用者の胴の少なくとも一部に当接しかつこれに沿って延びるように適応された内側プレート状織物部材１００を有する。ベビーシートキャリア２００は、選択的に、人の背中／脊柱または胸部／腹部／体幹に沿って適応させられてもよい。内側織物部材１００には、内側織物部材１００の上端部に配置された調節可能なショルダストラップ部材１２０と、内側織物部材１００の下端部に配置された調節可能なウエストベルト部材１３０とが設けられている。図２は、ベビーシートキャリア２００／内側織物部材１００の長手方向Ｌおよび横方向Ｔを示している。
【００３２】
図３および図４は、図１および図２に示された特徴に加え、ショルダストラップ部材１２０において適応させられたショルダストラップファスナ１２１を示している。内側織物部材１００の外側の面には、内側織物ジッパ部材１０１が配置されている。複数の態様によれば、内側織物部材１００の長手方向Ｌに沿った様々な高さにおいて内側織物部材１００に１つまたは複数のジッパ１０１が配置されてもよい。内側織物部材１００の長手方向側部から延びるサイドファスナ１６０は、一般的に、ストラップを含んでもよい。
【００３３】
ウエストベルト部材１３０および／または内側織物部材１００には、スツールシート部材１７０が取り付けられている。スツールシート部材１７０は、スツールシート部材１７０の外側リッジに沿って部分的に配置されたスツールシートジッパ部材１７２を有する。スツールシート部材１７０は、ウエストベルト部材１３０から突出しており、上側座面１７１を有する。上側座面１７１は、実質的に平坦であってもよいまたは人間工学的に、例えば、子供の臀部を反転させた形に成形されていてもよい。スツールシート部材１７０は、スツールシートボディ１７３が配置されてもよい、収縮可能な織物シェルを有してもよい。
【００３４】
図５ａおよび図５ｂは、発明の複数の態様による外側カバー部材１５０を示している。図５ａおよび図５ｂには、外側カバー部材１５０の外側の面が示されている。外側の面には、ショルダストラップ部材１２０に設けられたショルダストラップファスナ１２１と協働するように構成された調節可能なヘッドストラップ１５７が配置されている。
【００３５】
図５ａは、さらに、外側カバー部材下側セクション１５３ａ，１５３ｂおよび外側カバー部材下端部１５４を示している。下端部１５４は、内側織物ジッパ部材１０１および／またはスツールシートジッパ部材１７２に取外し可能に接続／係合させられるように構成された外側カバージッパ部材１５５を特徴とする。
【００３６】
さらに図５ａを参照すると、外側カバー部材１５０は、サイドファスナ１６０と協働するように構成された一対の上側取付け箇所１６１ａおよび一対の下側取付け箇所１６１ｂを特徴とする。少なくとも図５に示されているように、外側カバー部材１５０は、外側カバー部材１５０において間隔を置いて横方向に配置された、複数の対の取付け箇所１６１を特徴とする。
【００３７】
別の態様によれば、サイドファスナ１６０は外側カバー部材１５０に配置されてもよく、取付け箇所１６１は内側織物部材１００に配置されてもよい。
【００３８】
図５ｂは、さらに、外側カバー部材１５０の上側部分１５１に配置された、ステッチアームパターン１５８およびステッチパターン１５９を示している。パターン１５８および１５９は、外側カバー部材１５０に、容易なかつ維持された折畳みを提供することが意図されている。
【００３９】
図６および図７は、約０〜６ヶ月の年齢および／またはＣ字形の脊柱を有する幼児を運搬するときに使用するのに適した、第１の作動モードにおいて組み立てられ／配置されたベビーシートキャリア２００を示している。２つのサイドファスナ１６０は一対の上側取付け箇所１６１ａと係合し、外側カバージッパ部材１５５は、内側織物ジッパ部材１０１と取外し可能に接続及び係合する。次いで、外側カバー部材下側部分１５３ｂは、Ｊ字形に配置されて、内側織物部材１００と共に、内側織物部材１００から延びた、懸吊されたＵ字形ポケットシート１５６を形成する。幼児が、懸吊されたポケットシート１５６に配置されると、サイドファスナ１６０と、上側取付け箇所１６１ａおよび／または外側カバー部材１５０の上側部分１５１とは、幼児の背中および頭部のための支持を提供する。
【００４０】
図８および図９は、約６〜３６ヶ月の年齢および／またはＳ字形の脊柱を有する幼児を運搬するときに使用するのに適した、第２の作動モードにおいて組み立てられ／配置されたベビーシートキャリア２００の態様を示している。サイドファスナ１６０は、幼児に、カバー部材１５０による背中支持および頭部支持を提供するために、下側取付け箇所１６１ｂと係合する。外側カバージッパ部材１５５は、スツールシートジッパ部材１７２と取外し可能に接続及び係合する。次いで、外側カバー部材下側セクション１５３ｂおよび／または１５３ａは、内側織物部材１００に対して実質的に平行にかつ／またはスツールシート上面（上側座面）１７１に対して垂直に配置され、幼児のための背中支持部を形成しかつ内側織物部材１００に関連して水平固定手段として機能する。幼児が、スツールシート部材１７０上に配置されると、サイドファスナ１６０と、下側取付け箇所１６１ｂおよび／またはカバー部材１５０の上側セクション１５１とは、幼児の背中および頭部のための支持を提供する。スツールシート部材１７０および外側カバー部材１５０は、これにより、スツールシート１７４を形成する。
【００４１】
図１０は、本発明によるベビーシートキャリアの１つの態様を示しており、スツールシートボディ部材１７３はスツールシート部材１７０から取り外されており、スツールシート部材は収縮させられている。
【００４２】
図１１および図１２ａ〜図１２ｃは、発明の１つの態様によるベビーシートキャリア２００を開示している。ベビーシートキャリア２００は延長部材２１０を有する。延長部材２１０は、第１の端部２１１および第２の端部２１２を有する。延長部材２１０の第１の端部２１１は、内側織物部材１００に固定して接続されている。１つの態様によれば、第１の端部２１１は、内側織物部材に取外し可能に接続されている。第２の端部２１２は、外側カバー部材１５０に取外し可能に接続されている。
【００４３】
第２の端部２１２はジッパ部材２４０を有する。ジッパ部材２４０は、延長部材２１０を外側カバー部材１５０に取外し可能に接続するために、外側カバージッパ部材１５５と係合するように構成されている。
【００４４】
１つの態様によれば、延長部材の第１の端部２１１は、ジッパ部材を有する。第１の端部２１１のジッパ部材は、内側織物ジッパ部材１０１および／またはスツールシートジッパ部材１７２と係合するように適応させられている。
【００４５】
１つの態様によれば、外側カバー部材下端部１５４は、第１の外側カバージッパ部材および第２の外側カバージッパ部材を有する。第１の外側カバージッパ部材は、内側織物ジッパ部材１０１と係合するように構成されている。第１の外側カバージッパ部材は、さらに、延長部材２１０の第２の端部２１２のジッパ部材２４０と係合するように構成されている。第２の外側カバージッパ部材は、スツールシートジッパ部材１７２と係合するように構成されている。
【００４６】
１つの態様によれば、第１の外側カバージッパ部材の長さは、第２の外側カバージッパ部材の長さより短い。第１の外側カバージッパ部材の長さは、ポケットシートに位置決めされるべき幼児の大きさに合わせて最適化することができる。第２の外側カバージッパ部材の長さは、スツールシートに位置決めされるべき幼児の大きさに合わせて最適化することができる。
【００４７】
１つの態様によれば、外側カバー部材下端部１５４の幅は、第１および／または第２の外側カバージッパ部材の長さに対応するように配置されている。外側カバー部材下端部１５４の幅は、外側カバー部材下端部１５４の折り畳みによって適応させられるように形成されている。第１および第２の外側カバージッパの間の織物は、ポケットシートに位置決めされた幼児の足に干渉しないように折り畳むことができる。織物は、外側カバー部材のポケット内へ折り畳むことができる。外側カバー部材の幅を変化させることができることにより、ベビーシートキャリアは、ポケットシート位置およびスツールシート位置の両方において幼児の大きさに合わせて人間工学的に最適化されるように適応させることができる。
【００４８】
内側織物部材１００、延長部材２１０および外側カバー部材１５０は、延長部材２１０が内側織物部材１００および外側カバー部材１５０に接続されたとき、延長された懸吊されたポケットシート２２０を形成する。
【００４９】
１つの態様によれば、スツールシート部材１７０、延長部材２１０および外側カバー部材１５０は、延長部材２１０がスツールシート部材１７０および外側カバー部材１５０に接続されたとき、延長されたスツールシート２２０を形成する。
【００５０】
延長部材２１０は、延長された懸吊されたポケットシート２２０および／または延長されたスツールシート２２０のサイズを幼児に適応させるために、異なる長さおよび幅を有することができる。
【００５１】
延長部材２１０は、より一層人間工学的になるように、ベビーシートキャリア２００のサイズを適応させることができる。さらに、延長部材２１０は、懸吊されたポケットシート位置と、ポケットシートとの間に１つまたは複数のさらなる位置を有することを可能にする。
【００５２】
内側構造／織物／プレート部材１００は、運搬者／使用者の胴に沿って、すなわち使用者の脊柱または体幹／胸に沿って当接しかつ延びている。内側織物１００は、使用者の臀部と肩との間の調節可能な重量分配を可能にするように構成されていてもよい。外側カバー部材１５０の下側部分１５３は、内側織物部材１００に取外し可能に接続されてもよく、これにより、懸吊された／垂れ下がった、開放したポケットシート１５６を提供する。ポケットシート１５６は、スツールシート部材１７０から所定の距離において使用者の胴／胸において比較的高く配置されてもよい。
【００５３】
ベビーシートキャリア２００には、調節可能な外側カバー部材１５０が設けられてもよい。外側カバー部材１５０の下端部１５４および／または下側部分１５３は、スツールシート部材１７０に取外し可能に接続されてもよい。スツールシート部材１７０は、使用者の臀部への重量分配を提供するように適応させられたウエストベルト部材１３０に配置されてもよい。ウエストベルト部材１３０は、内側織物部材１００の下側部分１５３に取り付けられてもよい。
【００５４】
ベビーシートキャリア２００は、ベビーシートキャリア２００が適応させられている使用者の胴に当接するように構成された内側プレート状織物構造部材１００を特徴としてもよい。ベビーシートキャリア２００が、使用者、例えば、使用者の前側に配置されたとき、内側織物部材１００は、一般的に、使用者のウエストから胸まで延び、したがって、柔軟な織物は、使用者の形状に適合するという点で有利である。
【００５５】
内側織物部材１００は、ウエストベルト部材１３０と、重量を内側織物部材１００から使用者の肩へ分配するように適応させられたショルダストラップ部材１２０との間に延びるように構成されてもよい。ショルダストラップ部材１２０は、内側織物部材１００の上側部分および／または上端部に配置されてもよく、前記ショルダストラップ部材１２０の長さを調節するための手段を有する。ウエストベルト部材１３０は、内側織物部材１００の下側部分および／または下端部に取り付けられてもよく、ウエストベルト部材１３０の長さ／直径を調節するための手段を有してもよい。ウエストベルト部材１３０および／またはショルダストラップ部材１２０は、快適かつ／または改良された重量分配を提供する、保護パッドまたは同様のものを特徴としてもよい。
【００５６】
ベビーシートキャリア２００は、内側織物部材１００の平面をほぼ横切る平面において延びるシート／スツール部材１７０を有してもよい。スツールシート部材１７０は、ウエストベルト部材１３０から、ベビーシートキャリアが適応させられている使用者の胴から外方へ延びていてもよい。スツールシート部材１７０は、しっかりした／剛性のスツールシートボディ１７３を有してもよい。したがって、スツールシート部材１７０への鉛直方向荷重は、ウエストベルト部材１３０および／または内側織物部材１００ならびにショルダストラップ部材１２０へ分配されてもよい。
【００５７】
ベビーシートキャリア２００は、内側織物部材１００の長手方向Ｌに沿って延びる外側カバー部材１５０を有してもよい。長手方向Ｌは、通常、ベビーシートキャリア２００が適応させられている人の脊柱／胴／体幹の方向に対応する。外側カバー部材１５０は、複数の態様によれば、ベビーシートキャリア２００の外側シェルを構成してもよい。外側カバー部材は、パッド付きまたは部分的にパッド付きであってもよい、織物の折畳み可能なプレートを含んでもよい。非制限的な例において、外側カバー部材１５０は、織物の２つのシートを有し、これらのシートの間にパッドが配置されている。
【００５８】
外側カバー部材の下側部分１５３および／または下端部１５４は、内側織物部材１００への取外し可能な取付け／係合のための手段１６１，１６１ａ，１６１ｂを有してもよい。
【００５９】
外側カバー部材の、取外し可能な取付けのための手段１６１，１６１ａ，１６１ｂは、外側カバー部材の横方向に沿って延びていてもよい。
【００６０】
前記内側織物部材１００は、外側カバー部材１５０の取外し可能な取付けのための手段１６１，１６１ａ，１６１ｂへの取外し可能な取付けのための対応する手段１６０を有してもよい。
【００６１】
内側織物部材１００は、外側カバー部材１５０への取外し可能な取付け／接続のための手段１０１を特徴としてもよく、この手段１０１は、内側織物部材１００の上端部および下端部から離して配置されてもよい。
【００６２】
内側織物部材の、取外し可能な接続のための手段１０１は、内側織物部材１００の横方向Ｔに沿って延びていてもよい。
【００６３】
ベビーシートキャリア２００は、前記外側カバー部材１５０の下側部分１５３が内側織物部材１００に取外し可能に接続されている第１の作動モードにおいて構成されていてもよい。
【００６４】
ベビーシートキャリア２００は、Ｃ字形の脊柱を有する幼児の運搬に適した第１の作動モードにおいて適応させられてもよい。第１の作動モードにおいて、外側カバー部材１５０の下側部分１５３は、開放したＵ字形ポケットシート１５６を形成するように内側織物部材１００から延びていてもよい。前記Ｕ字形ポケットシート１５６は、Ｉ字形内側織物部材１００およびＪ字形外側カバー部材１５０を含むと言ってもよく、Ｊ字形外側カバー部材の開口は、内側織物部材１００に面している。
【００６５】
これにより、発明の複数の態様によれば、外側カバー部材１５０は、懸吊されたポケットシート１５６を形成するように内側織物部材１００に取外し可能に接続されてもよい。
【００６６】
Ｊ字形外側カバー部材１５０は、幼児の鼠径部および背中に沿うように形成される／合致してもよく、内側織物部材１００は幼児の腹部および／または胸部に当接する。
【００６７】
外側カバー部材１５０の下側部分１５３，１５３ａ，１５３ｂは、幼児の鼠径部に沿って形成されている／合致してもよい。
【００６８】
外側カバー部材１５０の上側部分１５１は、幼児の背中および／または頭部の周囲に形成されている。
【００６９】
懸吊されたポケットシート１５６は、幼児の足が前記ポケットシート１５６の外側へ自由に垂れ下がるように、開放した端部を有してもよく、幼児の足は、Ｕ字形ポケットシート１５６の開放した端部から外へ延びてもよい。
【００７０】
内側織物部材１００は、内側織物部材１００の長手方向長さＬに沿って１つまたは複数の間隔を置いて配置された、２つ以上の手段１０１を有してもよい。
【００７１】
すなわち、内側織物部材１００および外側カバー部材１５０に配置された取外し可能な取付けのための手段１０１により、外側カバー部材１５０は、内側織物部材１００の長さに沿って部分的におよび／または可変に部分的に、好適には内側織物部材１００の上側部分に沿って、延びてもよい。発明は、これにより、前記外側カバー部材１５０および／または外側カバー部材１５０の下側部分１５３が、懸吊されたポケットシート１５６を形成するように配置されてもよい、ということを達成する。複数の態様によれば、外側カバー部材１５０の下側部分１５３はポケットシートを形成し、外側カバー部材１５０の上側部分１５１は、ポケットシート１５６上／内に配置された幼児のための背中支持／水平方向固定手段を形成する。
【００７２】
したがって、懸吊されたポケットシート１５６に加えられる鉛直方向または実質的に鉛直方向の力／荷重、例えば、内側織物部材１００と外側カバー部材１５０との間で前記ポケットシート１５６に配置された幼児からの荷重は、内側織物部材１００および外側カバー部材１５０によって、対抗／吸収／支持／分配されてもよい。第１の作動モードは、Ｃ字形脊柱を有するおよび／または蛙姿勢／胎児姿勢に配置された幼児に適していてもよい。第１の作動モードにおいて、外側カバー部材の下側部分１５３によって形成された懸吊されたポケットシート１５６は、幼児の鼠径部に合致しかつ幼児に均一に分配された支持を提供してもよく、その一方、外側カバー部材１５０の残りの部分は、幼児の脊柱に合致し、水平方向支持を提供する。
【００７３】
外側カバー部材は、ステッチパターン１５９、例えば、外側カバー部材１５０上に延びる波形パターンまたはステッチされた横方向ラインを特徴としてもよい。ステッチパターン１５９は、織物および外側カバー部材１５０のパッドを貫通してもよく、これにより、前記パッドは、ステッチ／シームにおいて局所的に圧縮され、これにより、外側カバー部材１５０を横切って実質的に横方向Ｔに沿って外側カバー部材１５０の容易かつ維持された折畳みを提供する。
【００７４】
提供されたポケットシート１５６および／またはスツールシート１７４に配置された幼児の腕に当接することが意図された外側カバー部材１５０の部分は、それぞれ、ステッチされた弓形パターン１５８によって包囲／画定されていてもよい。ステッチされた弓形パターン１５８は、織物および外側カバー部材１５０のパッドを貫通してもよく、これにより、前記パッドは、ステッチ／シームにおいて局所的に圧縮され、これにより、外側カバー部材１５０の構造的剛性を弱め、外側カバー部材１５０の容易な折畳みを提供し、幼児が腕を動かすときに、折畳みに対する抵抗を減じる。ステッチされた弓形パターン１５８は、外側カバー部材１５０の上側部分１５１および／または上側部分の縁部と、外側カバー部材の下側部分１５３の縁部および／または下側部分１５３の近傍との間に延びていてもよく、弓形における弓は、外側カバー部材１５０の中央に向けられており、外側カバー部材１５０の長手方向縁部に向かって開放している。
【００７５】
ベビーシートキャリア２００は、約６〜３６ヶ月の年齢の幼児の運搬に適した第２の作動モードで構成されてもよい。第２の作動モードでは、カバー部材１５０の下側部分１５３および／または下端部１５４は、スツールシート１７４を生じるために、スツールシート部材１７０に取外し可能に接続されるようになっている。スツールシート１７４は、シートとしてのスツールシート部材１７０と、関連した背もたれ／背中支持部および頭部支持部としての外側カバー部材１５０とを特徴としてもよい。
【００７６】
外側カバー部材の下側部分１５３ａ，１５３ｂは、さらに、スツールシート部材１７０に取外し可能に接続されるようになっている。外側カバー部材１５０の下側部分１５３は、さらに、スツールシート部材１７０の外側リッジに取外し可能に取り付けられる／接続されるようになっており、これにより、外側カバー部材の下側部分１５３ａ，１５３ｂは、内側織物部材１５０に対して平行または実質的に平行に延びており、これにより、スツールシート部材１７０に配置された幼児の水平方向固定のための手段を提供する。スツールシート部材１７０の外側リッジは、スツールシート部材１７０によって使用者の体から離間されたリッジまたはリッジの部分であると定義されてもよい。したがって、外側カバー部材の下側部分１５３ａ，１５３ｂは、スツールシート部材１７０に関連した幼児のための背中／脊柱支持を提供してもよい。第２の作動モードは、Ｓ字形脊柱を有する幼児に適しており、この幼児は、スツールシート１７４のスツールシート部材１７０によって提供されるしっかりした平坦なシートと、外側カバー部材１５０によって提供される十分な背中支持とを必要としている。
【００７７】
スツールシート部材１７０は、収縮可能／折畳み可能であってもよい織物シェルまたは織物コンパートメントを有してもよく、この織物シェル／コンパートメント内に、取外し可能なスツールシートボディ１７３が配置されていてもよい。収縮されると、スツールシート部材１７０の上面は、スツールシート部材上面（上側座面）１７１のリッジに沿って延びるリッジジッパ部材によってウエストベルト部材１３０に固定されてもよく、このリッジジッパ部材は、ウエストベルト部材１３０に配置された関連するウエストベルトジッパと係合する。
【００７８】
ベビーシートキャリア２００は、さらに、内側織物部材１００から外側カバー部材１５０まで延びるサイドファスナ１６０を有する。サイドファスナ１６０は、外側カバー部材１５０に加えられた水平方向および／または鉛直方向の力を内側織物部材１００へ分配してもよい。サイドファスナ１６０は、内側織物部材１００の長手方向側部から外側カバー部材１５０まで延びていてもよく、これにより、サイドファスナ１６０および懸吊されたポケットシート１５６およびスツールシート部材１７０の間に、開口／孔が形成されている。開口／孔は、懸吊されたポケットシート１５６および／またはスツールシート１７４に配置された幼児のそれぞれの足がそれぞれの開口を通過するように適応されていてもよい。
【００７９】
サイドファスナ１６０は、幼児のための背中支持を提供するためにおよび／または内側織物部材１００に対するポケットシート１５６の調節可能な高さを提供するために、外側カバー部材１５０の外側においておよび／または外側カバー部材１５０の長手方向長さに沿って配置された取付け箇所１６１ａ，１６１ｂにおいて外側カバー部材１５０に取外し可能に取り付けられるように構成されていてもよい。
【００８０】
固定箇所１６１ａ，１６１ｂは、複数の対の固定箇所を含んでもよい。制限しない例において、固定箇所１６１ａ，１６１ｂは、外側カバー部材１５０の２つ以上の横方向長さに沿って横方向に配置された複数の対のボタンを含んでもよい。１対の固定箇所における固定箇所１６１は、外側カバー部材１５０に取り付けられてもよくかつ内部では例えば１対の固定箇所を構成する２つの固定箇所の間に延びる接続ベルトまたは同様のものによって互いに取り付けられていてもよい。
【００８１】
スツールシート部材１７０は、内側織物部材１００および／またはウエストベルト部材１３０に取外し可能に取り付けられていてもよい。
【００８２】
前記内側織物部材１００は、正方形、矩形またはあらゆるその他の適切な形状を有してもよい。
【００８３】
外側カバー部材の下端部１５４は、内側織物ジッパ部材１０１に取外し可能な接続で係合してもよい外側カバージッパ部材１５５を有してもよい。
【００８４】
スツールシート部材１７０は、スツールシートジッパ部材１７２を有してもよい。外側カバージッパ部材１５５は、さらに、スツールシートジッパ部材１７２と取外し可能接続において係合するように構成されていてもよい。スツールシートジッパ部材１７２は、好適には、スツールシート部材の外側リッジにまたはその近傍に配置されていてもよく、少なくとも部分的に外側リッジの長さに沿って延びていてもよい。
【００８５】
内側織物部材１００は、柔軟な織物であってもよい。内側織物部材は、パッド付きであってもよいおよび／またはメッシュ構造によって強化されていてもよい。内側織物部材１００は、内側および／または外側で強化されていてもよい。
【００８６】
内側織物部材１００への外側カバー部材１５０の取外し可能な接続のための手段は、内側織物部材１００に対する外側カバー部材１５０および／または外側カバー部材１５０の下端部１５４の無段階高さ調節を可能にするための手段を有してもよく、これにより、懸吊されたポケットシート１５６とスツールシート部材上面１７１との間の距離を無段階調節する。
【００８７】
スツールシート部材は、内側織物部材１００および／またはウエストベルト部材１３０から外方へ突出していてもよく、これにより、スツールシート部材上面１７１は、内側織物部材１００の平面を横断してまたは内側織物部材１００に向かって僅かに傾斜して配置されている。
【００８８】
スツールシート部材１７０は、クッション状のスツールシートボディ１７３または同様の部材を有してもよい。スツールシートボディ１７３の材料は、好適には、軽量材料であるしっかりした／剛性の材料、例えば、発泡ポリスチレン（ＥＰＳ）または発泡ポリプロピレン（ＥＰＰ）から形成されているが、中空のシェル、膨張可能なクッションを含んでもよい。複数の態様によれば、スツールシート部材１７０は、内側織物部材１００および／またはウエストベルト部材１３０に取り付けられており、これにより、スツールシート部材１７０に加えられた鉛直方向の力が、スツールシート部材１７０から伝達されて、ウエストベルト部材１３０および／またはショルダストラップ部材１２０に分配されてもよい。
【００８９】
当業者は、ベビーシートキャリア２００の要素および／または特徴が、複数の態様によれば、均等物によって代用されてもよいことを認識するであろう。例えば、前記ジッパ部材１０１，１５５，１７２，２４０は、同様の取外し可能な取付け機能を提供する均等物によって代用されてもよい。
【００９０】
ベビーシートキャリア２００の構成において使用される材料は、異なってもよく、当業者は、ベビーシートキャリアが、例えば、付加的なパッドおよび／または支持が提供された快適バージョン、軽量材料から形成された軽量バージョンまたは排他的材料バージョンなどの様々なバージョンで実現されてもよいことを認識するであろう。
【００９１】
懸吊されたポケットシート１５６に幼児を配置するとき、ベビーシートキャリアは、以下のステップを含む第１の作動モードで配置される：
−ショルダストラップ部材１２０および／またはウエストベルト部材１３０を、ベビーシートキャリアを運搬する使用者に装着する；
−外側カバー部材の下側部分１５３ａ，１５３ｂを、内側織物部材１００の長手方向Ｌを実質的に横切って配置する；
−外側カバー部材１５０の下側部分１５３ａ，１５３ｂおよび／または下端部１５４を、内側織物ジッパ部材１０１および外側カバージッパ部材１５５によって内側織物部材１００に取外し可能に接続する；
−外側カバー部材１５０の上側部分１５１を内側織物部材１００と実質的に平行に配置する；
−サイドファスナ１６０を、外側カバー部材１５０に配置された上側取付け箇所１６１ａに取外し可能に取り付ける；
−幼児をポケットシート１５６に配置し、それぞれの足がサイドファスナ１６０の下側に配置される；
−ヘッドストラップ１５７をショルダストラップファスナ１２１に接続する。
【００９２】
懸吊されたポケットシート１５６からスツールシート１７４へ幼児を再配置する際、ベビーシートキャリアは、以下のステップを含む第２の作動モードで配置される：
−ショルダストラップファスナ１２１からヘッドストラップ１５７を取り外す；
−ポケットシート１５６から幼児を取り出す；
−内側織物ジッパ部材１０１から外側カバージッパ部材１５５を取り外す；
−外側カバージッパ部材１５５をスツールシートジッパ部材１７２に取外し可能に接続する；
−幼児をスツールシート部材１７０上に配置する；
−サイドファスナ１６０を下側固定箇所１６１ｂに取外し可能に取り付ける；
−ヘッドストラップ１５７をショルダストラップファスナ１２１に接続する。
【００９３】
第１および第２の作動モードにおいてベビーシートキャリアを配置するためのステップの上記の順序は、説明目的であり、ベビーシートキャリア２００は、ベビーキャリアを配置するための上記ステップに従ってのみ使用されることに限定されないことに留意すべきである。
【００９４】
したがって、発明は、幼児が、懸吊されたポケットシート１５６に配置されるおよび／またはスツールシート１７４に配置される前に、ショルダストラップ部材１２０およびウエストベルト部材１３０によって人員において適応させられてもよいベビーシートキャリア２００を達成する。
【００９５】
その結果、発明は、様々な可能な設計ならびに幼児およびベビーシートキャリアシステムの適応を提供する。
【００９６】
本願の開示は、例示の目的で詳細に記載されているが、このような詳細はその目的だけのためのものであり、本願の開示の範囲から逸脱することなく、当業者によって、本願の開示において変更をなすことができる。
【００９７】
請求項において使用される“含む”という用語は、その他の要素またはステップを排除しない。請求項において使用される単数形での記載は、複数を排除しない。
【符号の説明】
【００９８】
１００  内側プレート／織物部材
１０１  内側織物ジッパ部材
１２０  ショルダストラップ部材
１２１  ショルダストラップファスナ
１３０  ウエストベルト部材
１５０  外側カバー部材
１５１  外側カバー部材上側部分
１５２  外側カバー部材上端部
１５３ａ  外側カバー部材下側部分
１５３ｂ  外側カバー部材下側部分
１５４  外側カバー部材下端部
１５５  外側カバージッパ部材
１５６  ポケットシート／懸吊されたポケットシート
１５７  ヘッドストラップ
１５８  ステッチされた弓形パターン
１５９  ステッチされたパターン
１６０  サイドファスナ
１６１  取付け箇所
１６１ａ  上側取付け箇所
１６１ｂ  下側取付け箇所
１７０  スツールシート部材
１７１  スツールシート部材上面
１７２  スツールシートジッパ部材
１７３  スツールシートボディ
１７４  スツールシート
２００  ベビーシートキャリア
Ｌ  ベビーシートキャリア／内側織物部材／外側カバー部材の長手方向
Ｔ  ベビーシートキャリア／内側織物部材／外側カバー部材の横断／横方向
【図１】
2019516536.tif 000003
【図２】
2019516536.tif 000004
【図３】
2019516536.tif 000005
【図４】
2019516536.tif 000006
【図５ａ】
2019516536.tif 000007
【図５ｂ】
2019516536.tif 000008
【図６】
2019516536.tif 000009
【図７】
2019516536.tif 000010
【図８】
2019516536.tif 000011
【図９】
2019516536.tif 000012
【図１０】
2019516536.tif 000013
【図１１】
2019516536.tif 000014
【図１２ａ】
2019516536.tif 000015
【図１２ｂ】
2019516536.tif 000016
【図１２ｃ】
2019516536.tif 000017
【国際調査報告】
2019516536.tif 000018
2019516536.tif 000019
2019516536.tif 000020